(57)【要約】【課題】アダプタミキサの取り付け部を有する流体分配システムを提供する。【解決手段】本発明のアダプタは、単一成分流体ディスペンサに連結する。アダプタは、キャップ部と、第１の出口と、第２の出口と、連結部材と、を備える。キャップ部は、内部を通って延在するキャップチャネルを画定するキャップ内部表面を有する。第１の出口は、キャップチャネルと流体連通する、内部を通って延在する、第１の出口チャネルを画定する。第２の出口は、キャップチャネルと流体連通する、内部を通って延在する、第２の出口チャネルを画定する。連結部材は、アダプタをノズルに連結するように構成されている。【選択図】図１Ａ
2020032411.tif 000002
【特許請求の範囲】
【請求項１】
単一成分流体ディスペンサに連結するように構成されたアダプタであって、
内部を通って延在するキャップチャネルを画定するキャップ内部表面を有するキャップ部と、
内部を通って延在する第１の出口チャネルを画定する第１の出口であって、前記第１の出口チャネルが、前記キャップチャネルと流体連通している、第１の出口と、
内部を通って延在する第２の出口チャネルを画定する第２の出口であって、前記第２の出口チャネルが、前記キャップチャネルと流体連通している、第２の出口と、
前記アダプタをノズルに連結するように構成された連結部材と、を備える、アダプタ。
【請求項２】
前記第１の出口チャネルの直径が、前記第２の出口チャネルの直径とは異なる、請求項１に記載のアダプタ。
【請求項３】
前記連結部材が、前記第１の出口及び前記第２の出口のうちの少なくとも１つの上に位置決めされる、請求項１に記載のアダプタ。
【請求項４】
前記キャップ部、前記第１の出口、前記第２の出口、及び前記連結部材が、単一の一体的に形成されたアセンブリを形成する、請求項１に記載のアダプタ。
【請求項５】
前記連結部材が、ねじ付きシール要素、バヨネットシール要素、又は分離されたボアシール要素を含む、請求項１に記載のアダプタ。
【請求項６】
前記キャップ部が、その上に一体的に成形された位置インジケータを含み、前記位置インジケータが、前記アダプタを前記単一成分流体ディスペンサと整列させるように構成されている、請求項１に記載のアダプタ。
【請求項７】
単一成分流体ディスペンサに連結するように構成された混合アセンブリであって、
アダプタであって、
内部を通って延在するキャップチャネルを画定するキャップ内部表面を有するキャップ部と、
内部を通って延在する第１の出口チャネルを画定する第１の出口であって、前記第１の出口チャネルが、前記キャップチャネルと流体連通している、第１の出口と、
内部を通って延在する第２の出口チャネルを画定する第２の出口であって、前記第２の出口チャネルが、前記キャップチャネルと流体連通している、第２の出口と、
連結部材と、を備える、アダプタと、
ノズルであって、前記ノズルを前記アダプタに固定するために、前記連結部材と係合するように構成された取り付け部分を含む、ノズルと、を備える、混合アセンブリ。
【請求項８】
前記第１の出口チャネルの直径が、前記第２の出口チャネルの直径とは異なる、請求項７に記載の混合アセンブリ。
【請求項９】
前記連結部材が、前記第１の出口及び前記第２の出口のうちの少なくとも１つの上に位置決めされる、請求項７に記載の混合アセンブリ。
【請求項１０】
前記キャップ部が、その上に一体的に成形された位置インジケータを含み、前記位置インジケータが、前記アダプタを前記単一成分流体ディスペンサと整列させるように構成されている、請求項７に記載の混合アセンブリ。
【請求項１１】
前記連結部材が、ねじ付きシール要素、バヨネットシール要素、又は分離されたボアシール要素を含み、前記ノズルの前記取り付け部分が、前記連結部材の前記ねじ付きシール要素、前記バヨネットシール要素、又は前記分離されたボアシール要素に対応する、ねじ付きシール要素、バヨネットシール要素、又は分離されたボアシール要素を含む、請求項７に記載の混合アセンブリ。
【請求項１２】
前記ノズルが、第１の入口ボア及び第２の入口ボアを有し、かつミキサを備える、請求項７に記載のアダプタ。
【請求項１３】
単一成分流体ディスペンサであって、
流体容器と、
前記流体容器に連結するように構成されたアダプタであって、
内部を通って延在するキャップチャネルを画定するキャップ内部表面を有するキャップ部と、
内部を通って延在する第１の出口チャネルを画定する第１の出口であって、前記第１の出口チャネルが、前記キャップチャネルと流体連通している、第１の出口と、
内部を通って延在する第２の出口チャネルを画定する第２の出口であって、前記第２の出口チャネルが、前記キャップチャネルと流体連通している、第２の出口と、
連結部材と、を備える、アダプタと、
ノズルであって、前記ノズルを前記アダプタに固定するために、前記連結部材と係合するように構成された取り付け部分を含む、ノズルと、を備える、ディスペンサ。
【請求項１４】
２つの流体を収容するように構成された折り畳み式容器を更に備え、前記折り畳み式容器が、前記流体容器内に位置決めされるようにサイズ決めされている、請求項１３に記載のディスペンサ。
【請求項１５】
前記流体容器内で摺動して前記折り畳み式容器内に収容された前記２つの流体を分配するように構成された単一のプランジャを有するプランジャアセンブリを更に備える、請求項１４に記載のディスペンサ。
【請求項１６】
前記第１の出口チャネルの直径が、前記第２の出口チャネルの直径とは異なる、請求項１３に記載のディスペンサ。
【請求項１７】
前記連結部材が、ねじ付きシール要素、バヨネットシール要素、又は分離されたボアシール要素を含み、前記ノズルの前記取り付け部分が、前記連結部材の前記ねじ付きシール要素、前記バヨネットシール要素、又は前記分離されたボアシール要素に対応する、ねじ付きシール要素、バヨネットシール要素、又は分離されたボアシール要素を含む、請求項１３に記載のディスペンサ。
【請求項１８】
前記キャップ部が、その上に一体的に成形された位置インジケータを含み、前記位置インジケータが、前記アダプタを前記流体容器と整列させるように構成されている、請求項１３に記載のディスペンサ。
【請求項１９】
前記ノズルが、第１の入口ボア及び第２の入口ボアを有し、かつミキサを備える、請求項１３に記載のディスペンサ。
【請求項２０】
前記アダプタを前記流体容器に固定するように構成されたナットを更に備える、請求項１３に記載のディスペンサ。
【発明の詳細な説明】
【技術分野】
【０００１】
本発明は、概して、流体分配システムに関し、より具体的には、アダプタミキサの取り付け部を有する流体分配システムに関する。
【０００２】
（関連出願の相互参照）
本出願は、２０１８年８月３０日出願の米国仮特許出願第６２／７２５，０００号の利益を主張し、その開示は、参照により本明細書に組み込まれる。
【背景技術】
【０００３】
分配システムは、容器から１つ以上の流体を分配するために、一般的に使用される。例えば、いくつかの分配システムは、可撓性かつ折り畳み式の流体容器である、いわゆる「ソーセージパック」容器を使用する。このタイプの折り畳み式容器は、略円筒形であり、可撓性の膜によって包み込まれた流体を含む。折り畳み式容器は、一般に、それらの使用準備が整うまで封止され、その時点で膜に穿孔する必要がある。流体が容器から抽出されると、膜は、折り畳まれて、満杯時よりも小さい体積を占め得る。
【０００４】
１つの現行のシステムでは、２成分接着剤及び他の反応性材料が、固体プラスチックの並列の２成分カートリッジ内に収容され、輸送される。他のシステムでは、２成分材料は、別個のソーセージパック容器内で輸送される。材料は、並列の二重チャンバディスペンサによって分配されなければならず、また、ミキサが取り付けられ得る２つの入口アダプタに接続され、かつそれらから分配されなければならない。
【０００５】
別の現行のシステムでは、２つの材料が、パックの内部にパックを含む単一のソーセージパック内に一緒にパッケージ化される。２つの別個の材料を収容するこれらの単一のソーセージパックは、標準的な単一成分ソーセージパックディスペンサからそれらを分配することができるため、分離されたソーセージパックに勝る利点を有する。ミキサは、２つの成分が分配される際に２つの成分を一緒に混合するために、単一成分ディスペンサに取り付けられてもよい。ミキサは、押出された混合物中に完全に混合されていない流体のストリークを残す傾向である、ストリーキング現象に曝される。
【発明の概要】
【発明が解決しようとする課題】
【０００６】
したがって、単一のソーセージパックから２つの材料を分配するための改善及び／又は簡略化された分配システムが、分配中により効果的に成分を混合するために所望される。
【課題を解決するための手段】
【０００７】
本発明は、単一成分ディスペンサと共に使用するためのアダプタであって、単一のソーセージパックから分配された２つの材料を混合するためのアダプタを含む、改善された分配システムを提供する。アダプタアセンブリは、単一成分ディスペンサ及びミキサに取り付けられるように構成される。
【０００８】
本発明の一実施形態は、アダプタを提供する。アダプタは、キャップ部と、第１の出口と、第２の出口と、連結部材と、を備える。キャップ部は、内部を通って延在するキャップチャネルを画定するキャップ内部表面を有する。第１の出口は、キャップチャネルと流体連通する、内部を通って延在する、第１の出口チャネルを画定する。第２の出口は、キャップチャネルと流体連通する、内部を通って延在する、第２の出口チャネルを画定する。連結部材は、アダプタをノズルに連結するように構成される。
【０００９】
本発明の別の実施形態は、単一成分流体ディスペンサに連結するように構成された混合アセンブリを提供する。混合アセンブリは、アダプタと、ノズルと、を備える。アダプタは、キャップ部と、第１の出口と、第２の出口と、連結部材と、を備える。キャップ部は、内部を通って延在する、キャップチャネルを画定するキャップ内部表面を有する。第１の出口は、キャップチャネルと流体連通する、内部を通って延在する、第１の出口チャネルを画定する。第２の出口は、キャップチャネルと流体連通する、内部を通って延在する、第２の出口チャネルを画定する。ノズルは、連結部材と係合してノズルをアダプタに固定するように構成された取り付け部分を含む。
【００１０】
本発明の別の実施形態は、単一成分ディスペンサなどのディスペンサを提供する。単一成分ディスペンサは、流体容器と、アダプタと、ノズルと、を含む。アダプタは、流体容器に連結するように構成される。アダプタは、キャップ部と、第１の出口と、第２の出口と、連結部材と、を備える。キャップ部は、内部を通って延在する、キャップチャネルを画定するキャップ内部表面を有する。第１の出口は、キャップチャネルと流体連通する、内部を通って延在する、第１の出口チャネルを画定する。第２の出口は、キャップチャネルと流体連通する、内部を通って延在する、第２の出口チャネルを画定する。ノズルは、連結部材と係合してノズルをアダプタに固定するように構成された取り付け部分を含む。
【００１１】
前述の概要、並びに以下の本出願の例示的な実施形態の詳細な説明は、添付の図面と併せて読むと、より良く理解されるであろう。本出願を例示する目的のために、図面に本発明の例示的な実施形態が示されている。しかしながら、その適用例は、図示される配置及び手段に正確に一致するものには限定されないということを理解されたい。
【図面の簡単な説明】
【００１２】
【図１Ａ】流体ディスペンサの斜視図を示す。
【図１Ｂ】図１Ａに示される流体ディスペンサの分解斜視図を示す。
【図２Ａ】ノズルの第１の実施形態の正面斜視図及を示す。
【図２Ｂ】ノズルの第１の実施形態の背面斜視図を示す。
【図３Ａ】アダプタアセンブリの第１の実施形態の正面斜視図を示す。
【図３Ｂ】アダプタアセンブリの第１の実施形態の背面斜視図を示す。
【図４】アダプタアセンブリの第２の実施形態の正面斜視図を示す。
【図５Ａ】アダプタアセンブリの第３の実施形態の正面斜視図を示す。
【図５Ｂ】ノズルが連結されている図５Ａに示されるアダプタアセンブリの第３の実施形態の正面斜視図を示す。
【図６】アダプタアセンブリの第４の実施形態の正面斜視図を示す。
【図７Ａ】アダプタアセンブリの第５の実施形態の正面斜視図を示す。
【図７Ｂ】ノズルが連結されている図７Ａに示されるアダプタアセンブリの第５の実施形態の正面斜視図を示す。
【発明を実施するための形態】
【００１３】
本発明は、概して、単一の折り畳み式容器（例えば、バッグインバッグ２ｋパック）から２つの流体を分配するための単一成分流体ディスペンサに関する。流体分配システムは、容器と、アダプタ（例えば、マニホールド）と、ノズル（例えば、ミキサ）と、を含む。アダプタは、２つの流体が容器から分配されているときに、それらが、アダプタ内の２つの別個のチャネルを通って流れるように、容器の遠位端に連結するように構成されている。流体がアダプタから出ると、それらは、ミキサを通って流れるにつれてミキサ内で混合される。
【００１４】
特定の専門用語は、便宜上、説明において使用され、限定するものではない。「近位」及び「遠位」という語は、一般に、流体ディスペンサ１００を操作する個人に向かう位置又は方向、及びその個人から離れた位置又は方向をそれぞれ指す。「縦の」、「半径の」、及び「横の」という語は、参照する図面の方向を示す。「実質的に」という用語は、特定されたことの、かなりの程度であること、又は、大部分であるが、必ずしも全部ではないことを意味することを意図している。用語は、上記の単語、その派生語、及び同様の意味の語を含む。
【００１５】
図１Ａ及び図１Ｂは、本発明の実施形態による、流体ディスペンサ１００の折り畳み斜視図及び分解斜視図をそれぞれ示す。流体ディスペンサ１００は、容器スリーブ１０２と、ナット１０４と、プランジャアセンブリ１０６と、アクチュエータ１０８と、ミキサ１１０（例えば、ノズル）と、アダプタアセンブリ２００と、を含む。容器スリーブ１０２は、円筒形バレル１１２を含む。容器スリーブ１０２は、容器スリーブ１０２の遠位端から近位端まで外側表面に沿って延在するリブ（図示せず）及び／又は任意選択的な保持リブ（図示せず）を含んでもよい。一実施形態では、容器スリーブ１０２は、リブが支持構造体内で容器を支持するように、支持構造（図示せず）によって支持され、かつ、支持構造（図示せず）内に嵌合されるように構成されてもよい。
【００１６】
容器スリーブ１０２は、折り畳み式容器１１４を内部に保持するように構成されている。本明細書で使用するとき、「折り畳み式容器」という用語は、当該技術分野において「ソーセージパック」として知られている可撓性かつ折り畳み式の流体容器の種類を指す。折り畳み式容器１１４はまた、流体が容器から分配され得る前に穿刺されなければならない穿刺可能な構成部品を有する、他の種類の剛性又は可撓性容器にも適用可能であることも理解されよう。容器スリーブ１０２は、例えば、様々なサイズの折り畳み式容器１１４に基づいて、様々なサイズの直径を有するバレルを含んでもよい。
【００１７】
折り畳み式容器１１４は、可撓性かつ折り畳み式であり、しかも弾力性のある膜を含んでもよい。膜は、膜内に収容された材料へのアクセスを提供するために穿刺されるように構成されている。折り畳み式容器は、略円筒形状であり、容器スリーブ１０２よりもわずかに小さい直径及び長さを有する。折り畳み式容器１１４は、２つの材料（例えば、流体）を保持するように構成されたバッグインバッグ容器である。折り畳み式容器１１４内の各バッグは、他のバッグの容積と類似の容積を有してもよく、又は代替的に、各バッグの容積は異なっていてもよい。折り畳み式容器１１４内の各バッグの容積は、分配される流体の種類に依存し得る。いくつかの実施形態では、バッグは、並列構成で互いに隣接していてもよい。
【００１８】
プランジャアセンブリ１０６は、プランジャ（図では見えない）及びスラストロッド１１６を含んでもよい。プランジャは、円筒形バレル１１２内で摺動するように構成されている。プランジャは、対応するスラストロッド１１６の遠位端に連結される。スラストロッド１１６は、流体ディスペンサ１００の近位端から円筒形バレル１１２内まで延在する。
【００１９】
アクチュエータ１０８は、プランジャを前進又は後退させるためにスラストロッド１１６の同時移動をもたらすように作用する。アクチュエータ１０８は、アクチュエータ１０８のトリガ１２０の作動が推進ロッド１１６を遠位方向に前進させるように、プランジャアセンブリ１０６のスラストロッド１１６に動作可能に連結されてもよい。スラストロッド１１６の前進は、プランジャを円筒形バレル１１２内に前進させる。アクチュエータ１０８は、図に示されるように、手動で駆動されるガン、空気圧駆動ガン、又はプランジャを駆動するように構成された他の作動機構を備えてもよい。
【００２０】
一実施形態では、流体ディスペンサ１００は、支持構造体（図示せず）を更に含んでもよい。支持構造体は、様々な構成部品、例えば、基部、延長アーム、及びゲートを含んでもよい。支持構造体は、流体ディスペンサ１００内で容器スリーブ１０２を支持するように構成されている。
【００２１】
ナット１０４は、アダプタアセンブリ２００を容器スリーブ１０２に固定するように構成されている。ナット１０４は、その上に内側ねじ付き部１２２を画定する円筒状の内面と、ナット１０４を通って延在するチャネルと、を含む。内側ねじ付き部１２２は、容器スリーブ１０２の遠位端上の外側ねじ付き部１２４と係合するように構成されている。アダプタアセンブリ２００は、本明細書に更に記載されているように、ナット１０４のチャネル内に少なくとも部分的に嵌合するようにサイズ決めされる。
【００２２】
図２Ａ及び図２Ｂは、本発明の実施形態による、ミキサ１１０の正面斜視図及び背面斜視図をそれぞれ示す。ミキサ１１０は、基部１３２を有する本体１３０と、ミキサ１１０を通って延在する導管又は通路（図では見えない）と、テーパ状の分配先端部１３６と、を含む。基部１３２は、アダプタアセンブリ２００に係合して取り付けられるように構成されている。基部１３２は、第１の入口１３８と、第２の入口１４０と、取り付け部分１４２（例えば、バヨネットコネクタ）と、を含む。導管は、第１の入口１３８及び第２の入口１４０の各々と流体連通する内部通路（図では見えない）を含む。分配先端部１３６は、本体１３０の内部通路と流体連通する出口１４４を含む。
【００２３】
導管は、内部通路内に位置決めされた混合要素（図では見えない）を含む。混合要素は、例えば、フィン、ウエッジ、ウェブ、プレート、バー、バッフル、これらの組み合わせ、又は他の混合要素などの様々な種類の構成部品を含んでもよい。混合要素は、例えば、反転ミキサ、流心リダイレクトミキサ、マルチフラックスミキサ、らせんミキサ、ｘミキサ、又は更に他の種類のミキサなどの様々な種類のミキサを含んでもよい。
【００２４】
図３Ａ及び図３Ｂは、本発明の実施形態によるアダプタアセンブリ２００の正面斜視図及び背面斜視図をそれぞれ示す。アダプタアセンブリ２００は、キャップ部２０２と、第１の出口２０４と、第２の出口２０６と、を有する本体２０１を含む。キャップ部２０２は、略管状の形状を有し、折り畳み式容器１１４の一部分を内部に受容するように構成されている。折り畳み式容器１１４の遠位端は、キャップ部２０２の開口部２０５内に位置決めされてもよい。一実施形態では、折り畳み式容器１１４は、アダプタアセンブリ２００に接着連結されてもよい。
【００２５】
キャップ部２０２は、キャップ部２０２を通って開口部２０５から第１の出口２０４及び第２の出口２０６まで延在するキャップチャネル２１０を画定する内部表面２０８を含む。キャップチャネル２１０は、円筒形状、テーパ形状、これらの組み合わせ、又は更に他の形状を有してもよい。
【００２６】
アダプタアセンブリ２００の第１の出口２０４及び第２の出口２０６は、互いに隣接して位置決めされ、キャップ部２０２からそれぞれの遠位端まで延在する。一実施形態では、第１の出口２０４及び第２の出口２０６は、キャップ部２０２のいずれかの側面上に位置決めされ、かつキャップ部２０２の中心から等距離に離間されている。第１の出口２０４及び第２の出口２０６の各々は、チャネル２１２及び２１４（例えば、ボア）をそれぞれ含む。各チャネル２１２及び２１４は、キャップチャネル２１０から遠位端のそれぞれの開口部２１６及び２１８まで延在する。
【００２７】
アダプタアセンブリ２００は、外側表面２２０から延在する連結部材２２２（例えば、バヨネットコネクタ）を更に含む。一実施形態では、連結部材２２２は、アダプタアセンブリ２００の遠位端から延在する。連結部材２２２は、ミキサ１１０の取り付け部分１４２と係合してミキサ１１０をアダプタアセンブリ２００に固定するように構成されている。連結部材２２２は、ねじ付きシール要素、バヨネットシール要素、分離されたボアシール要素、又は、ミキサ１１０の取り付け部分１４２と係合してアダプタアセンブリ２００をミキサ１１０に連結するように構成された、更に他の要素を含んでもよい。
【００２８】
一実施形態では、第１の出口２０４及び第２の出口２０６は、キャップ部２０２並びに第１の出口２０４及び第２の出口２０６が単一の構成部品を形成するように、キャップ部２０２と一体的に形成される。別の実施形態では、キャップ部２０２、第１の出口２０４及び第２の出口２０６、並びに連結部材２２２が一体的に形成されて、一体形成されたアダプタアセンブリ２００を形成する。別の実施形態では、アダプタアセンブリ２００は、ナット１０４と一体的に形成されて、容器スリーブ１０２に直接連結され得る単一の一体的に形成されたアダプタアセンブリ２００を形成する。
【００２９】
連結部材２２２並びにアダプタアセンブリ２００の第１の出口２０４及び第２の出口２０６は、例えば、封止又は分離された様々な種類の単一ボアミキサを、標準的なコーキングガンに封止可能かつ取り外し可能に取り付けること、及びそれらと共に使用することを可能にすることを含む、いくつかの利点を提供する。アダプタアセンブリ２００は、現在市販されている既存のミキサが、標準的な単一成分ソーセージコークディスペンサに封止可能かつ取り外し可能に取り付けられることを可能にする。
【００３０】
アダプタアセンブリ２００はまた、キャップ部２０２上に一体的に成形された位置インジケータ２６２を含んでもよい。位置インジケータ２６２は、アダプタアセンブリ２００の本体２０１を容器スリーブ１０２及び／又は折り畳み式容器１１４に整列するように構成されている。位置インジケータ２６２は、容器スリーブ１０２及び／又は折り畳み式容器１１４上の対応する陥凹部、突出部、又は他の構成と整列する、陥凹部、突出部、又は他の構成を含んでもよい。
【００３１】
アダプタアセンブリ２００はまた、穿刺部材（図示せず）を含んでもよい。穿刺部材は、アダプタアセンブリ２００の本体２０１に連結されてもよい。穿刺部材は、折り畳み式容器がキャップチャネル２１０内に位置決めされると、穿刺部材が容器の膜と係合して穿刺することができるように、キャップ部２０２のキャップチャネル２１０内に延在する。
【００３２】
代替的な実施形態では、アダプタアセンブリ２００は、複数の穿刺部材、又は少なくとも２つの穿刺部材（図示せず）を含んでもよい。例えば、バッグインバッグ折り畳み式容器の場合、アダプタアセンブリ２００は、２つの穿刺部材、折り畳み式容器の各バッグ用の１つの穿刺部材を含んでもよい。
【００３３】
ここで、流体ディスペンサ１００の使用について説明する。流体ディスペンサ１００は、一部が分解された状態で提供され得る。例えば、流体ディスペンサ１００は、アクチュエータ１０８、プランジャアセンブリ１０６、及び支持構造体と共に提供されているが、それに連結される容器スリーブ１０２、ナット１０４、ミキサ１１０及びアダプタアセンブリ２００はなくてもよい。更に、アダプタアセンブリ２００は、容器スリーブ１０２に連結されて提供されなくてもよい。加えて、アダプタアセンブリ２００内の穿刺部材を覆うために、保護キャップ（図示せず）が設けられてもよい。保護キャップは、穿刺部材が損傷しないようにそれらを保護することができ、そのため、例えば、アダプタアセンブリ２００は、穿刺部材が他の構成部品を損傷させる又は他の構成部品によって損傷されることを懸念することなく、安全に販売及び輸送され得る。
【００３４】
折り畳み式容器１１４の膜を穿刺することが望ましい場合、保護キャップは、アダプタアセンブリ２００から取り外されてもよい。折り畳み式容器１１４は容器スリーブ１０２内に位置決めされてもよく、アダプタアセンブリ２００は、容器スリーブ１０２の遠位端に位置決めされてもよい。穿刺部材は、容器スリーブ１０２内で折り畳み式容器１１４を穿刺してもよい。折り畳み式容器１１４は、適所にアダプタアセンブリ２００と接着済みで提供されてもよい。代替的に、折り畳み式容器１１４は、容器スリーブ１０２内に位置決めされる前又は後のいずれかで、ブレード、針、又は他の鋭利な物体によって穿刺されてもよい。アダプタアセンブリ２００は、ナット１０４によって円筒形バレル１１２の遠位端に固定される。アダプタアセンブリ２００を円筒形バレル１１２と整列させるために、位置インジケータ２６２は、円筒形バレル１１２上の対応する機構に整列される。アダプタアセンブリ２００と円筒形バレル１１２との整列は、円筒形バレル１１２内の流体が、アダプタアセンブリ２００内の適切な開口部／チャネルと整列されることを可能にする。ナット１０４の内側ねじ付き部１２２は、容器スリーブ１０２の外側ねじ付き部１２４と係合し、ナット１０４を容器スリーブ１０２に固定する。ナット１０４は、アダプタアセンブリ２００のネック部２０３が延在する開口部を画定する。
【００３５】
ミキサ１１０は、ミキサ１１０の第１の入口１３８及び第２の入口１４０を、アダプタアセンブリ２００の第１の出口２０４及び第２の出口２０６内にそれぞれ挿入することによって、アダプタアセンブリ２００のキャップ部２０２に連結される。第１の入口１３８及び第２の入口１４０が挿入された後、ミキサ１１０の基部１３２の取り付け部分１４２は、アダプタアセンブリ２００に対してミキサ１１０を回転させることによって、キャップ部２０２から延在する連結部材２２２に固定される。次いで、容器スリーブ１０２は、支持構造体内に位置決めされてもよく、又は、容器スリーブ１０２は、プランジャアセンブリ１０６に直接連結されてもよい。折り畳み式容器１１４は、アダプタアセンブリ２００とプランジャアセンブリ１０６との間の容器スリーブ１０２内に固定される。
【００３６】
アクチュエータ１０８は、スラストロッド１１６を遠位方向に移動させて折り畳み式容器１１４をアダプタアセンブリ２００に係合させる力を、プランジャアセンブリ１０６に提供するように構成されている。折り畳み式容器１１４が穿刺されるので、折り畳み式容器１１４内に収容された流体は、スラストロッド１１６からの力が折り畳み式容器１１４に加えられる際にアダプタアセンブリ２００を通って流れることができる。具体的には、折り畳み式容器１１４内の第１の流体は、遠位端において、開口部２０５から第１の開口部２１６へとアダプタアセンブリ２００を通って流れ、折り畳み式容器１１４内の第２の流体は、遠位端において、開口部２０５から第２の開口部２１８へとアダプタアセンブリ２００を通って流れる。
【００３７】
流体が遠位端でアダプタアセンブリ２００から出た後、第１及び第２の流体は、ベース１３２の第１の入口１３８及び第２の入口１４０をそれぞれ通って、ミキサ１１０内に導入される。流体は、本体１３０の内部通路を通って流れる際に更に混合されてもよい。本体１３０は、ミキサ１１０内の２つの流体を混合するための内部通路内に様々な混合要素を含んでもよい。
【００３８】
分配先端部１３６の出口１４４は、本体１３０の内部通路と流体連通する。ミキサ１１０内に生成された２つの流体の混合物によって形成された複合流体は、出口１４４を通って適用点に流れる。したがって、折り畳み式容器１１４からの２つの流体は、出口１４４から排出され得る。
【００３９】
本実施形態は、単一の折り畳み式容器１１４を有する流体ディスペンサ１００の文脈で説明されているが、流体ディスペンサ１００は、アダプタアセンブリ２００及び／又はミキサ１１０内で混合される流体を各々含む複数の折り畳み式容器を有するように構成され得ることが理解されるであろう。容器の数にかかわらず、アダプタアセンブリ２００は、ネック部２０３内に混合要素を含むように構成されており、かつ１つ以上の容器と連結されるように更に構成されている。アダプタアセンブリ２００は、ミキサ１１０に取り付けられるように構成され、１つ以上の折り畳み式容器を受容するための１つ以上のキャップ部２０２を含んでもよい。
【００４０】
上述の例では、アダプタアセンブリ２００がミキサ１１０に連結された流体ディスペンサ１００を参照するが、この方法はまた、以下で更に説明するように、様々なミキサ１１０に連結されたアダプタアセンブリ２００の様々な形態を有する流体ディスペンサ１００の代替的な形態によっても使用され得ることが理解されるであろう。
【００４１】
図４は、代替的な実施形態のアダプタアセンブリ３００の正面斜視図を示す。アダプタアセンブリ３００は、アダプタアセンブリ２００のキャップ部２０２及び連結部材２２２と実質的に同様に構成された、キャップ部３０２及び連結部材３２２を含む。アダプタアセンブリ３００は、互いに隣接して位置決めされ、キャップ部３０２からそれぞれの遠位端まで延在する、第１の出口３０４及び第２の出口３０６を更に含む。第１の出口３０４及び第２の出口３０６の各々は、出口チャネル３１２及び３１４（例えば、ボア）をそれぞれ含む。各出口チャネル３１２及び３１４は、キャップチャネル（図では見えない）から遠位端でのそれぞれの開口部３１６及び３１８まで延在する。上記のようにアダプタアセンブリ２００が容器スリーブ１０２及びミキサ１１０に固定されるのと実質的に同様に、アダプタアセンブリ３００は、容器スリーブ１０２に固定されてもよく、ミキサ１１０は、アダプタアセンブリ３００に固定されてもよい。
【００４２】
アダプタアセンブリ３００は、第１の出口チャネル３１２及び第２の出口チャネル３１４の各々の内部に１つある２つの流体を受容するように構成されている。２つの流体は、アダプタアセンブリ２００の第１の開口部２１６及び第２の開口部２１８を流れる流体と実質的に同様に、それぞれの第１の開口部３１６及び第２の開口部３１８を通ってミキサ１１０内に流れる。一実施形態では、第１の出口チャネル３１２の直径は、第２の出口チャネル３１４の直径とは異なる。ミキサ１１０の第１の入口１３８及び第２の入口１４０は、第１の出口チャネル３１２及び第２の出口チャネル３１４の直径に対応する直径をそれぞれ有してもよい。
【００４３】
連結部材３２２は、位置インジケータ３４１を含んでもよい。位置インジケータ３４１は、アダプタアセンブリ３００の連結部材３２２をミキサ１１０に整列するように構成されている。位置インジケータ３４１は、ミキサ１１０上の対応する陥凹部、突出部、又は他の構成と整列する、陥凹部、突出部、又は他の構成を含んでもよい。
【００４４】
図５Ａは、別の代替的な実施形態のアダプタアセンブリ４００の正面斜視図を示す。アダプタアセンブリ４００は、アダプタアセンブリ２００のキャップ部２０２、第１の出口２０４、及び第２の出口２０６とそれぞれ実質的に同様に構成されている、キャップ部４０２、第１の出口４０４、及び第２の出口４０６を含む。アダプタアセンブリ４００は、第１の出口チャネル４１２及び第２の出口チャネル４１４の各々の内部に１つある、２つの流体を受容するように構成されている。２つの流体は、流体がアダプタアセンブリ２００の第１の開口部２１６及び第２の開口部２１８を通ってミキサ１１０内に流れるのと実質的に同様に、それぞれの第１の開口部４１６及び第２の開口部４１８を通ってミキサ４５０内に流れる。アダプタアセンブリ４００は、上記のように、アダプタアセンブリ２００が容器スリーブ１０２に固定されるのと実質的に同様に、容器スリーブ１０２に固定されてもよい。
【００４５】
図５Ｂは、ミキサ４５０が連結されたアダプタアセンブリ４００の正面斜視図を示す。アダプタアセンブリ４００は、連結部材４２２（例えば、スナップクリップコネクタ）を更に含む。連結部材４２２は、ミキサ４５０の対応する取り付け部分４４２と係合してミキサ４５０をアダプタアセンブリ４００に固定するように構成されている。一実施形態では、連結部材４２２は、第１の出口４０４及び第２の出口４０６のうちの少なくとも１つに位置決めされる。ミキサ４５０は、ミキサ１１０の本体１３０及び分配先端部１３６と実質的に同様に構成されている、本体４３０及びテーパ状分配先端部４３６を含む。
【００４６】
図６は、代替的な実施形態のアダプタアセンブリ５００の正面斜視図を示す。アダプタアセンブリ５００は、アダプタアセンブリ４００のキャップ部４０２及び連結部材４２２と実質的に同様に構成されている、キャップ部５０２及び連結部材５２２を含む。アダプタアセンブリ５００は、互いに隣接して位置決めされ、キャップ部５０２から離れてそれぞれの遠位端まで延在する第１の出口５０４及び第２の出口５０６を更に含む。第１の出口５０４及び第２の出口５０６は、アダプタアセンブリ３００の第１の出口３０４及び第２の出口３０６とそれぞれ実質的に同様に構成されてもよく、第１の出口チャネル５１２の直径は、第２の出口チャネル５１４の直径とは異なる。アダプタアセンブリ５００は、上記のように、アダプタアセンブリ２００が容器スリーブ１０２に固定されるのと実質的に同様に、容器スリーブ１０２に固定され得る。ミキサ４５０は、上述したように、ミキサ４５０がアダプタアセンブリ４００に固定されるのと実質的に同様に、アダプタアセンブリ５００に固定され得る。
【００４７】
図７Ａは、別の代替的な実施形態のアダプタアセンブリ６００の正面斜視図を示す。アダプタアセンブリ６００は、アダプタアセンブリ２００のキャップ部２０２と実質的に同様に構成されている、キャップ部６０２を含む。アダプタアセンブリ６００は、ネック部６０３及び連結部材６２２を更に含む。ネック部６０３は、各々が、ネック部６０３を通ってキャップチャネル（図では見えない）まで延在するそれぞれの出口チャネル６１２及び６１４（例えば、ボア）を含む、第１の出口６０４及び第２の出口６０６を画定する。第１の出口６０４及び第２の出口６０６は、互いに隣接して位置決めされ、キャップ部６０２から遠位端まで延在する。一実施形態では、第１の出口６０４及び第２の出口６０６は、キャップ部６０２のいずれかの側面上に位置決めされ、かつキャップ部６０２の中心から等距離に離間され、第１の出口６０４及び第２の出口６０６は、キャップチャネルからネック部６０３の中心を通って延在する方向に沿って見たときに、実質的に対称である。代替的な実施形態では、第１の出口チャネル６１２の直径は、第２の出口チャネル６１４の直径とは異なっていてもよい。
【００４８】
アダプタアセンブリ６００は、第１の出口チャネル６１２及び第２の出口チャネル６１４の各々の内部に１つある２つの流体を受容するように構成されている。２つの流体は、それぞれの出口チャネル６１２及び６１４を通って、アダプタアセンブリ６００に連結されたミキサ６５０に流入する。アダプタアセンブリ６００は、上記のように、アダプタアセンブリ２００が容器スリーブ１０２に固定されるのと実質的に同様に、容器スリーブ１０２に固定され得る。
【００４９】
図７Ｂは、ミキサ６５０が連結されたアダプタアセンブリ６００の正面斜視図を示す。連結部材６２２（例えば、バヨネットコネクタ）は、キャップ部６０２の外面から延在する。連結部材６２２は、ミキサ６５０の取り付け部分６４２と係合して、ミキサ６５０をアダプタアセンブリ６００に固定するように構成されている。連結部材６２２は、ねじ付きシール要素、バヨネットシール要素、分離されたボアシール要素、又は取り付け部分６４２と係合して、アダプタアセンブリ６００をミキサ６５０に連結するように構成された更に他の要素を含んでもよい。
【００５０】
ミキサ６５０は、本体６３０と、基部６３２と、ミキサ６５０を通って延在する導管又は通路（図では見えない）と、テーパ状の分配先端部６３６と、を含む。基部６３２は、アダプタアセンブリ６００に係合して取り付けられるように構成されている。基部６３２は、図では見えない入口（例えば、単一の封止入口）と、取り付け部分６４２（例えば、バヨネットコネクタ）と、を含む。導管は、基部６３２から分配先端部６３６まで延在する内部通路（図では見えない）を含む。分配先端部６３６は、導管の内部通路と流体連通する出口を含む。
【００５１】
アダプタアセンブリ６００は、ネック部６０３の第１の出口チャネル６１２及び第２の出口チャネル６１４内に２つの流体を受容するように構成されている。２つの流体がネック部６０３を通って流れた後で、両方の流体は、アダプタアセンブリ６００から出て、ミキサ６５０の内部通路に入り、分配先端部６３６の出口を通って出る。
【００５２】
流体ディスペンサ１００は、様々な種類の折り畳み式容器と共に使用されてもよい。例えば、流体が容器から分配され得る前に穿刺されなければならない穿刺可能な構成部品を有する容器（例えば、シリンジ等）を、上記と一致する方法でアダプタアセンブリ２００と共に使用することができる。
【００５３】
更に、場合によっては、上述の流体ディスペンサ１００などの流体分配アセンブリは、単一の使用に好適であり得、その後に又は関連する折り畳み式容器が空になるときに廃棄される。しかしながら、他の場合には、流体ディスペンサ１００は、異なる折り畳み式容器で再使用されるミキサ及びアダプタを含んでもよい。例えば、流体分配アセンブリと共に使用される折り畳み式容器がその流体内容物を空にした後、それは、アダプタアセンブリから取り外され、満杯の折り畳み式容器によって置き換えられてもよい。折り畳み式容器の交換の一部として、アダプタアセンブリは、満杯の折り畳み式容器が容器内に置かれ得るように、容器から取り外されるであろう。
【００５４】
前述の説明が、開示されたシステム及び方法の実施例を提供することが、理解されるであろう。しかしながら、本発明の他の実施形態は、前述の実施例とは詳細が異なり得ることが企図される。本発明又はその実施例に対する全ての言及は、その時点で考察されている特定の実施例を参照することを意図するものであり、より一般的に本発明の範囲に関するいかなる制限を示すことも意図していない。ある特定の特徴に関する全ての区別及び軽視の言語は、それらの特徴に対する優先度の欠如を示すことを意図しているが、別途記載のない限り、本発明の範囲からそれらを完全に除外することを意図するものではない。
【符号の説明】
【００５５】
１００  流体ディスペンサ
１０２  容器スリーブ
１０４  ナット
１０６  プランジャアセンブリ
１０８  アクチュエータ
１１０  ミキサ
１１２  円筒形バレル
２００，３００，４００，５００，６００  アダプタアセンブリ
【図１Ａ】
2020032411.tif 000003
【図１Ｂ】
2020032411.tif 000004
【図２Ａ】
2020032411.tif 000005
【図２Ｂ】
2020032411.tif 000006
【図３Ａ】
2020032411.tif 000007
【図３Ｂ】
2020032411.tif 000008
【図４】
2020032411.tif 000009
【図５Ａ】
2020032411.tif 000010
【図５Ｂ】
2020032411.tif 000011
【図６】
2020032411.tif 000012
【図７Ａ】
2020032411.tif 000013
【図７Ｂ】
2020032411.tif 000014
【外国語明細書】
2020032411000001.pdf